(57)【特許請求の範囲】
【請求項１】
釣り針に、該釣り針から延びる軸部とその先端に設けたリング部を有する糸を取り付けた糸付き釣り針において、前記糸は、中空状に形成され、前記リング部を除く軸部の中空部に前記糸より大きな弾性を有する線材が挿通されていることを特徴とする糸付き釣り針。
【請求項２】
線材の一端は糸の釣り針取付部で釣り針に止着されていることを特徴とする請求項１記載の糸付き釣り針。
【発明の詳細な説明】
【０００１】
【発明の属する技術分野】
本発明は、吸い込み糸が取り付けられた糸付き釣り針の改良に関する。
【０００２】
【従来の技術】
従来から釣り針に糸を取り付け、その糸の先端を折り返して仕掛けへの止着用リングを形成した糸付き釣り針が使用されている。
このような糸付き釣り針は仕掛けの一部に取り付けたり、ルア−用の釣り針として使用することが出来る。
例えば実開昭５２−３６１７４号公報には組み紐状の吸い込み糸を取り付けた釣り針が示されており、その糸の先端は折り返されて糸の中に差し込まれてリング部が形成されている。
この様な糸付き釣り針を仕掛けやルア−に使用した場合は、魚が釣り針を吸い込み易くなるため針掛かりし易く、また、針掛かりした後に魚が首を振って針を外そうとしてもルア−や仕掛けに取り付けた重り等が振り子になってその慣性で針が外れてしまうという不具合の発生が少なくなる。
ところが、この様な糸付き釣り針はリング部を介して止着すると、釣り針からリング部に至る糸の軸部が仕掛けやルア−に絡みやすいという欠点を有している。
【０００３】
【発明が解決しようとする課題】
解決しようとする問題点は、吸い込み糸を取り付けた釣り針はリング部を介して止着すると、釣り針からリング部に至る糸の軸部が仕掛けやルア−に絡みやすいことである。
【０００４】
本発明の目的は前記欠点に鑑み、仕掛けやルア−の取付部に取り付け易く、絡み付き難い糸付き釣り針を提供することである。
【０００５】
【課題を解決するための手段】
上記課題を解決するために、
請求項１に係わる本発明は、釣り針に、該釣り針から延びる軸部とその先端に設けたリング部を有する糸を取り付けた糸付き釣り針において、前記糸は、中空状に形成され、前記リング部を除く軸部の中空部に前記糸より大きな弾性を有する線材が挿通されていることを要旨とするものである。
請求項２に係わる本発明は、線材の一端は糸の釣り針取付部で釣り針に止着されていることを要旨とするものである。
【０００６】
【発明の実施の形態】
請求項１の本発明により、ルア−６や仕掛けの動きに応じてリング部２ａで容易に方向を変え、適切な方向を向いて配されるため、魚が確実に釣り針１に掛かるようになる。
また、糸付き釣り針Ａの糸２の軸部２ｅはリング部２ａより大きな弾性を有し折れ曲がりにくいため、ルア−６や仕掛けに絡みにくくなる。
したがって、釣りをしている最中のトラブルが回避でき釣果の向上が期待できる。
請求項２の本発明により、線材３の下端は糸２の釣り針取付部２ｆで釣り針１に止着されているため、線材３の位置がずれることなく、糸２の軸部２ｅが釣り針１に止着される釣り針取付部２ｆに至るまで大きな弾性を確実に有するようにすることができる。
【０００７】
【実施例】
以下、図示の一実施例によって本発明を説明すると、図１は糸付き釣り針の（ａ）は側面図で（ｂ）は他の側面図、図２は糸付き釣り針の断面側面図、図３は糸付き釣り針がルア−に取り付けられた側面図、図４は糸付き釣り針が仕掛けに取り付けられた側面図である。
【０００８】
糸付き釣り針Ａは、釣り針１とこれに止着した糸２から成っている。
糸２の中空部の中に糸２より大きな弾性を有する線材３が挿通されている。
釣り針１は一方の端の針先１ａと湾曲したフック部１ｂと直線部１ｃと他の端のリング部１ｄで形成されている。
糸２は複数本の繊維を組み紐状に製紐して中空状に形成されている。
この糸２は主に合成繊維（ポリエチレンなど）やアラミド繊維を用いて柔軟性を有するように形成されている。
【０００９】
この糸２は長さ方向の中間で折り返されてリング部２ａができるように、基端２ｂに対して一端２ｃは製紐した繊維の目から再び糸の中空部２ｄに挿通されて基端２ｂの中に一端２ｃが重ねられて内外２層となってリング部２ａから基端２ｂまでの直線部分を軸部２ｅとすると共に釣り針１の直線部１ｃに添接される部分を釣り針取付部２ｆとする。
線材３はナイロンなどの合成樹脂線材やステンレス等の金属線材が使用されて一端２ｃの中空部２ｇに挿通されて軸部２ｅを補強し、軸部２ｅのリング部２ａ側から下端まで挿通されているが、リング部２ａには挿通されていないためリング部２ａは軸部２ｅより柔軟性を有している。
線材３は単線でも複数の線材を束にしたものでもよい。
線材３の長さは軸部２ｅの長さに応じて変更してもよい。
線材３の径や弾性力は軸部２ｅの長さ等に応じて変更してもよい。
【００１０】
釣り針１に糸２が止着される時は、釣り針１のリング部１ｄに基端２ｂと軸部２ｅが挿通された後、糸２の釣り針取付部２ｆが釣り針１の直線部１ｃに添接されて止着糸４が巻回されて接着剤が塗布され、更に熱収縮合成樹脂チュ−ブ５が被せられて外側から加熱してチュ−ブ５を、釣り針１の直線部１ｃと糸２の釣り針取付部２ｆが重ねられた止着部に合致した形状に収縮されている。
この止着部では糸２と共に挿通した線材３も止着される。
線材３は止着部に対応する部分の径をを他の部分より細くするとよい。
【００１１】
糸付き釣り針Ａがルア−６に取り付けられる時は、図３のようにルア−６の下側のＵ字形取付部７に糸２のリング部２ａが通されて後、リング部２ａに針先１ａ側から釣り針１全体が挿通されて引くことで、リング部２ａが締め付けられて取り付けられる。
この時リング部２ａには線材３が挿通されておらず柔軟性が維持されているためこれら取付作業が容易で、また、ルア−６の下側のＵ字形取付部７にしっかり締め付けられ、小さな結び瘤となって弛まない。
ルア−６の上側のＵ字形取付部８には道糸９が取り付けられる。
取付部は下側のＵ字形取付部７と上側のＵ字形取付部８以外の位置に取り付けてもよい。
【００１２】
糸付き釣り針Ａが取り付けられたルア−６を水中に投入して動かすと、取付部７に取り付けられたリング部２ａが瘤の部分と瘤からはみ出して軸部２ｅへ連なる部分も柔軟に曲がって方向を変えることが出来る。
このため、ルア−６の動きに応じて糸付き釣り針Ａはルア−６への付け根の部分で柔軟に方向を変えてルア−６を追従することとなり、魚がルア−６をくわえると確実に釣り針１に掛かるようになる。
また、ルア−６を投入したり、沈下させたり、動かしたりする最中に糸付き釣り針Ａの糸２の軸部２ｅは線材３の挿通でリング部２ａより大きな弾性を有して直線状に保たれ折れ曲がりにくいため、ルア−６や釣り糸等他の仕掛けに絡みにくくなる。
したがって、釣りをしている最中のトラブルが回避でき釣果の向上が期待できる。
【００１３】
糸付き釣り針Ａが他の仕掛けに取り付けられる時は、図４のようにリング１０に図３と同様に糸２のリング部２ａが取り付けられ、更にリング１０に道糸９と重り１１が取り付けられた糸１２が取り付けられる。
糸２の軸部２ｅには線材３が挿通されているので、重り１１の糸１２に釣り針１が絡むことがない。
【００１４】
前記説明では、一端２ｃの中空部２ｇに線材３を挿通したが、基端２ｂと一端２ｃの間の中空部２ｄに挿通してもよい。
前記説明では、リング部１ｄのある釣り針１を図示したが、リング部がない釣り針１を用いてもよい。
【００１５】
前記のように糸付き釣り針が構成されると、ルア−６や仕掛けの動きに応じてリング部２ａで容易に方向を変え、適切な方向を向いて配されるため、魚が確実に釣り針１に掛かるようになる。
また、糸付き釣り針Ａの糸２の軸部２ｅはリング部２ａより大きな弾性を有し折れ曲がりにくいため、ルア−６や仕掛けに絡みにくくなる。
したがって、釣りをしている最中のトラブルが回避でき釣果の向上が期待できる。
【００１６】
【発明の効果】
本発明は、以上説明したような形態で実施され、以下に記載されるような効果を奏する。
【００１７】
請求項１により、ルア−や仕掛けの動きに応じてリング部で容易に方向を変え、適切な方向を向いて配されるため、魚が確実に釣り針に掛かるようになる。
また、糸付き釣り針の糸の軸部はリング部より大きな弾性を有し折れ曲がりにくいため、ルア−や仕掛けに絡みにくくなる。
したがって、釣りをしている最中のトラブルが回避でき釣果の向上が期待できる。
請求項２により、線材の下端は糸の釣り針取付部で釣り針に止着されているため位置がずれることがない。
【図面の簡単な説明】
【図１】糸付き釣り針の（ａ）は側面図で（ｂ）は他の側面図である。
【図２】糸付き釣り針の断面側面図である。
【図３】糸付き釣り針がルア−に取り付けられた側面図である。
【図４】糸付き釣り針が仕掛けに取り付けられた側面図である。
【符号の説明】
Ａ  糸付き釣り針
１  釣り針
２  糸
２ａ  リング部
２ｄ、２ｇ  中空部
２ｅ  軸部
２ｆ  釣り針取付部
３  線材
【図１】
0003708491.tif 000002
【図２】
0003708491.tif 000003
【図３】
0003708491.tif 000004
【図４】
0003708491.tif 000005